(57)【要約】      （修正有）【課題】接続バーにより接続される複数層からなる収納棚であり、層数を自由に増減して収納棚が占める空間を調整することができ、設置する場所、条件などに応じて柔軟に使用できる収納棚を提供する。【解決手段】２層以上の収納用の棚板２１を備え、かつ各棚板は、棚板の一方側に位置する複数の接続バー３０により接続されている。接続バー３０の上下両端は折り曲げ部を有し、上端の折り曲げ部は上方に位置する棚板の下溝に挿入され、下端の折り曲げ部は下方に位置する棚板の上溝に挿入される。上溝と下溝とは接続バー３０が装着される側の延在方向に沿って並置され、上溝は斜め上方へ延在し、下溝は斜め下方へ延在している。上溝と下溝の延在方向は一方側の延在方向と直交し、各上溝と下溝は一対一に対応し、対応する上溝と下溝との延在方向は共に同一垂直面上にある。【選択図】図２Ａ
0003189291.tif 000002
【実用新案登録請求の範囲】
【請求項１】
２層以上の収納用の棚板を備え、かつ
各棚板は、棚板の一方側に位置する複数の接続バーにより接続され、接続バーの上下両端にそれぞれ折り曲げ部を有し、上端の折り曲げ部は上方に位置する棚板の下溝に挿入され、下端の折り曲げ部は下方に位置する棚板の上溝に挿入され、接続バーは、各棚板の底面同士が互いに平行となるとともに、前記収納棚が水平面に置かれた場合に各棚板が略同一垂直線上に位置する形状に形成され、
上溝と下溝とは接続バーが装着される側の延在方向に沿って並置され、上溝は斜め上方へ延在し、下溝は斜め下方へ延在し、上溝と下溝の延在方向は前記一方側の延在方向と直交し、各上溝と下溝は一対一に対応し、対応する上溝と下溝との延在方向は共に同一垂直面上にあることを特徴とする収納棚。
【請求項２】
棚板の上面に前記一方側の延在方向に垂直する溝を複数有し、
溝内に垂直に挿入され、棚板の内部を複数の収納空間に区切るセパレータを少なくとも１つ備えることを特徴とする請求項１記載の収納棚。
【請求項３】
棚板は、複数の棚板ユニットを前記一方側の延在方向に沿って組み合わせてなり、
各棚板ユニットの左右縁は、前記一方側の延在方向に平行な接続穴をそれぞれ有し、接続ロッドが左右隣接する棚板ユニットの接続穴に同時に挿入されることで、２つの棚板ユニットが接続されることを特徴とする請求項１または２記載の収納棚。
【請求項４】
開口が一定の角度をなすとともに、開口の内部に歯がそれぞれ形成された２つの挟持口を有するヘッド札クリップを複数備え、
棚板の前記一方側の上端に複数の切欠きを有し、
第１の挟持口は前記上端の下方のに位置しかつ下へ方向に折り曲げられた縁を挟み、かつ前記挟持口の歯が切欠き内に嵌め込まれ、第２の挟持口はヘッド札の下縁を挟み、前記挟持口の歯がヘッド札の下縁付近の穴内に嵌め込まれることを特徴とする請求項１または２記載の収納棚。
【請求項５】
２層以上の収納用の棚板と、
２つ以上の座式台座とを備え、
各棚板は、棚板の一方側に位置する複数の接続バーにより接続され、接続バーはその上下両端にそれぞれ折り曲げ部を有し、上端の折り曲げ部は上方に位置する棚板の下溝に挿入され、下端の折り曲げ部は下方に位置する棚板の上溝に挿入され、接続バーは各棚板の底面同士が互いに平行となるように形成されており、
上溝と下溝は前記一方側の延在方向に沿って配列され、上溝は斜め上方へ延在し、下溝は斜め下方へ延在し、上溝と下溝の延在方向は前記一方側の延在方向に垂直し、各上溝と下溝は一対一に対応し、対応する上溝と下溝の延在方向は共に同一垂直面上にあり、
座式台座は、直線部と折り曲げ部からなり、直線部と折り曲げ部との間に一定の角度をなして接続され、折り曲げ部は最下段に位置する棚板の下溝に挿入されることで、前記収納棚が載せ面に置かれた場合に、直線部の自由端と、最下段に位置する棚板の一方側の対向側の下方の縁とが同時に前記載せ面に接触することを特徴とする収納棚。
【請求項６】
棚板の上面に複数の前記一方側の延在方向と直交する溝を有し、
棚板において、溝内に垂直に挿入され、棚板の内部を複数の収納空間に区切るセパレータを少なくとも１つ備えることを特徴とする請求項５記載の収納棚。
【請求項７】
棚板は、複数の棚板ユニットが前記一方側の延在方向に沿って組み合わせられてなり、
各棚板ユニットの左右縁は、前記一方側の延在方向に平行な接続穴をそれぞれ有し、接続ロッドが左右隣接する棚板ユニットの接続穴に同時に挿入されることで、２つの棚板ユニットが接続されることを特徴とする請求項５または６記載の収納棚。
【請求項８】
開口が一定の角度をなすとともに、開口の内部に歯がそれぞれ形成された２つの挟持口を有するヘッド札クリップを複数備え、
棚板の前記一方側の上端に複数の切欠きを有し、
第１の挟持口は前記上端の下方のに位置しかつ下へ方向に折り曲げられた縁を挟み、かつ前記挟持口の歯が切欠き内に嵌め込まれ、第２の挟持口はヘッド札の下縁を挟み、前記挟持口の歯がヘッド札の下縁付近の穴内に嵌め込まれることを特徴とする請求項５または６記載の収納棚。
【請求項９】
２層以上の収納用の棚板を備え、かつ
各棚板は、棚板の一方側に位置する複数の接続バーにより接続され、接続バーはその上下両端にそれぞれ折り曲げ部を有し、上端の折り曲げ部は上方に位置する棚板の下溝に挿入され、下端の折り曲げ部は下方に位置する棚板の上溝に挿入され、接続バーは各棚板の底面同士がお互いに平行となるように形成されており、
上溝と下溝は前記一方側の延在方向に沿って配列され、上溝は斜め上方へ延在し、下溝は斜め下方へ延在し、上溝と下溝の延在方向は前記一方側の延在方向に垂直し、各上溝と下溝は一対一に対応し、かつ対応する上溝と下溝の延在方向は共に同一垂直面上にあり、
棚板には接続部材が取り付けられ、
接続部材は底板と、底板の同一側に位置するとともに底板平面に直交する両アームとから構成され、底板上に前記一方側の延在方向に沿って配列された２つの穴が形成され、両アームの末端には上向きのフックが形成され、
棚板の前記上面に、前記一方側の延在方向に垂直する溝を２つ有し、２つの溝同士の間隔は両アーム同士の間隔と等しく、
棚板は、上面からそれぞれ２つの溝内へ延びながら湾曲して２つのタングが形成され、フックはそれぞれ２つのタングの自由端に引っ掛けられることを特徴とする収納棚。
【請求項１０】
底板の方向と両アームの延在方向との角度は９０°未満であることを特徴とする請求項９に記載の収納棚。
【請求項１１】
開口が一定の角度をなすとともに、開口の内部に歯がそれぞれ形成された２つの挟持口を有するヘッド札クリップを複数備え、
棚板の前記一方側の上端に複数の切欠きを有し、
第１の挟持口は前記上端の下方のに位置しかつ下へ方向に折り曲げられた縁を挟み、かつ前記挟持口の歯が切欠き内に嵌め込まれ、第２の挟持口はヘッド札の下縁を挟み、前記挟持口の歯がヘッド札の下縁付近の穴内に嵌め込まれることを特徴とする請求項９または１０記載の収納棚。
【請求項１２】
棚板の上面に複数の前記一方側の延在方向と直交する溝を有し、  
棚板において、溝内に垂直に挿入され、棚板の内部を複数の収納空間に区切るセパレータを少なくとも１つ備えることを特徴とする請求項９または１０記載の収納棚。
【請求項１３】
棚板は、複数の棚板ユニットを前記延在方向に沿って組み合わせてなり、
各棚板ユニットの左右縁は、前記一方側の延在方向に平行な接続穴をそれぞれ有し、接続ロッドが左右隣接する棚板ユニットの接続穴に同時に挿入されることで、２つの棚板ユニットが接続されることを特徴とする請求項９または１０記載の収納棚。
【考案の詳細な説明】
【技術分野】
【０００１】
本考案は、機械技術分野に関するものであり、特に収納棚に関する。
【背景技術】
【０００２】
スーパーマーケットでは、商品陳列用の様々な収納棚が使用されている。現在、スーパーマーケットで使用される収納棚は、図１に示すように略直方体形状となっている。図１はスーパーマーケットにおける一般的な収納棚の概略図である。このような収納棚は、一定の体積を有し、かつ通常、地面にしか設置することができない。実際の使用において、このような収納棚は使用上の柔軟性に欠ける。
【考案の概要】
【考案が解決しようとする課題】
【０００３】
現在、スーパーマーケットで使用される収納棚は略直方体形状になっており、一定の体積を有し、かつ通常、地面にしか設置することができない。そのため、使用上の柔軟性に欠ける。
【課題を解決するための手段】
【０００４】
請求項１に係る本考案によれば、２層以上の収納用の棚板を備え、かつ各棚板は、棚板の一方側に位置する複数の接続バーにより接続され、接続バーの上下両端にそれぞれ折り曲げ部を有し、上端の折り曲げ部は上方に位置する棚板の下溝に挿入され、下端の折り曲げ部は下方に位置する棚板の上溝に挿入される。接続バーは、各棚板の底面同士が互いに平行となるとともに、前記収納棚が水平面に置かれた場合に各棚板が略同一垂直線上に位置する形状に形成される。上溝と下溝とは接続バーが装着される側の延在方向に沿って並置され、上溝は斜め上方へ延在し、下溝は斜め下方へ延在し、上溝と下溝の延在方向は前記一方側の延在方向と直交し、各上溝と下溝は一対一に対応し、対応する上溝と下溝との延在方向は共に同一垂直面上にある。
【考案の効果】
【０００５】
本考案では、接続バーにより接続される複数層からなる収納棚であり、層数を自由に増減して収納棚が占める空間を調整することができるから、設置する場所、条件などに応じて柔軟に使用できる。例えば、地面上に設置したり、テーブル上やスーパーマーケットのレジ台など各種の台面に設置することができる。接続バーを使用することにより収納棚を直管に固定し、層数を調整して異なる大きさの空間条件に適用する。
【図面の簡単な説明】
【０００６】
【図１】従来におけるスーパーマーケットの収納棚の概略図を示す。
【図２Ａ】本実用新案の実施例における収納棚の基本構成部分の概略図（立体図）を示す。
【図２Ｂ】図２Ａの右側面図（投影図）を示す。
【図３Ａ】本実用新案の実施例における接続バーの構造の概略図を示す。
【図３Ｂ】図３Ａの枠Ａの中の部分拡大図を示す。
【図４Ａ】本実用新案における収納棚の他の実施例（実施例２）の基本構成部分の概略図（斜視図）を示す。
【図４Ｂ】４Ａの右側面図（投影図）を示す。
【図５Ａ】本実用新案の実施例における収納棚の棚板の接続方式を表す概略図を示す。
【図５Ｂ】図５Ａの枠Ｂの部分拡大図を示す。
【図６Ａ】本実用新案の実施例における接続部材と棚板との接続操作の各段階の概略図を示す。
【図６Ｂ】本実用新案の実施例における接続部材と棚板との接続操作の各段階の概略図を示す。
【図６Ｃ】本実用新案の実施例における接続部材と棚板との接続操作の各段階の概略図を示す。
【図６Ｄ】本実用新案の実施例における接続部材と棚板との接続操作の各段階の概略図を示す。
【図６Ｅ】図６Ａの部分断面図を示す。
【図６Ｆ】図６Ｂの部分断面図を示す。
【図６Ｇ】図６Ｃの部分断面図を示す。
【図６Ｈ】図６Ｄの部分断面図を示す。
【図６Ｉ】本実用新案の実施例における収納棚を直管に固定する方法を表す概略図を示す。
【図６Ｊ】本実用新案の実施例における収納棚を直管に固定する方法を表す概略図を示す。
【図７Ａ】本実用新案の実施例におけるヘッド札の装着を表す概略図を示す。
【図７Ｂ】本実用新案の実施例におけるヘッド札の装着を表す概略図を示す。
【図７Ｃ】本実用新案の実施例におけるヘッド札の装着を表す概略図を示す。
【図７Ｄ】本実用新案の実施例におけるヘッド札の装着を表す概略図を示す。
【図８】本実用新案の実施例における棚板内の収納空間の区切りを表す概略図を示す。
【図９】本実用新案の実施例における棚板の組み合わせ方式を表す概略図を示す。
【考案を実施するための形態】
【０００７】
２層以上の収納用の棚板を備え、かつ各棚板は、棚板の一方側に位置する複数の接続バーにより接続され、接続バーの上下両端にそれぞれ折り曲げ部を有し、上端の折り曲げ部は上方に位置する棚板の下溝に挿入され、下端の折り曲げ部は下方に位置する棚板の上溝に挿入される。接続バーは、各棚板の底面同士が互いに平行となるとともに、前記収納棚が水平面に置かれた場合に各棚板が略同一垂直線上に位置する形状に形成される。上溝と下溝とは接続バーが装着される側の延在方向に沿って並置され、上溝は斜め上方へ延在し、下溝は斜め下方へ延在し、上溝と下溝の延在方向は前記一方側の延在方向と直交し、各上溝と下溝は一対一に対応し、対応する上溝と下溝との延在方向は共に同一垂直面上にある。
【実施例】
【０００８】
以下、図面を用いて本実用新案の例示的な実施例について説明する。この説明にはより十分に説明するための、本実用新案の各詳細についての説明が含まれており、これらは例示に過ぎないと理解される。ここで記載された実施例に対し、本実用新案の範囲及び同一の思想内において変更、修正が生じることは、当業者に容易に想到しうることである。同様に、明瞭かつ簡潔さを図るために的であるように、下記記載において、公知機能と構造に対するついての記載を省略している。
【０００９】
図２Ａは、本実用新案の実施例における収納棚の基本構成部分の概略図である。図２Ａは斜視図（立体図）、図２Ｂは図２Ａの右側面図（投影図）である。
【００１０】
図２Ａ、図２Ｂに示すように、収納棚２０は、主に２層以上の収納用の棚板２１を備え、かつ各棚板２１は、棚板２１の一方側（後端）に位置する複数の接続バー３０により接続される。棚板の接続は、たとえば図３Ａ、図３Ｂのように表わされる。図３Ａは本実用新案の実施例における収納棚の棚板の接続方式を表す概略図である。図３Ｂは図３Ａの枠Ａの中の部分拡大図である。
【００１１】
接続バー３０の上下両端はそれぞれ折り曲げ部３０１、３０２を有し、上端の折り曲げ部３０１は上方に位置する棚板２１の下溝６に挿入され、下端の折り曲げ部３０２は下方に位置する棚板２１の上溝５に挿入される。接続バーは、（棚板に挿入された際に）各棚板２１の底面同士が互いに平行となるとともに、収納棚が（テーブル上などの）水平面に置かれた場合に各棚板２１が略同一垂直（鉛直）線上に位置する形状に形成されている（図２Ｂ参照）。上溝５と下溝６とは接続バー３０が装着される側（棚板２１の後壁）の一方側の延在方向（棚板後壁の延びる方向）に沿って並置されている。上溝５は斜め上方へ（矢印３２に示すように）延在し、下溝６は斜め下方へ（矢印３３に示すように）延在している。上溝５と下溝６との延在方向は前記（接続バー３０が装着される側（棚板２１の後壁）の）一方側の延在方向と直交している。つまり、矢印３２、３３はそれぞれ矢印３１方向に直交しており、３つの矢印は図面において三次元的に表わされる。各上溝５と下溝６とは一対一に対応し、対応する上溝５と下溝６との延在方向は同一垂直面上にある。
【００１２】
上下隣接する棚板２１は複数の接続バー３０で接続されており、図（図３Ａ）において、６つの接続バーを使用した具体例が示されている。接続バー３０の上下両端にそれぞれ折り曲げ部３０１、３０２を有し、上端の折り曲げ部３０１は上方に位置する棚板２１の下溝６に挿入され、下端の折り曲げ部３０２は下方に位置する棚板２１の上溝５に挿入される。挿入方向は図（図３Ａ）において、接続バー３０の上下両端付近の短い矢印で示されている。
【００１３】
図を見るとよくわかるように、収納棚は、接続バーにより接続された複数の層をつなぎ合わせて組み立てられており、層数を自由に増減することが可能である。収納棚が占める空間を層数の増減により調整して、収納棚を柔軟に使用することができる。例えば、地面上に設置したり、テーブル上やスーパーマーケットのレジ台など各種の台面に設置することができる。
【００１４】
図４Ａは、本実用新案における収納棚の他の実施例（実施例２）の基本構成部分の概略図である。図４Ａは斜視図（立体図）であり、図４Ｂは図４Ａの右側面図（投影図）である。このような基本構成において（実施例１と）同様に、収納棚は複数の棚板２１をつなぎ合わせて組み立てられている。棚板の接続は、図５Ａ、図５Ｂのように表わされる。図５Ａは本実用新案の実施例における収納棚の棚板の接続方式を表す概略図である。図５Ｂは図５Ａの枠Ｂの部分拡大図である。
【００１５】
図５Ａ、図５Ｂに示すように、各棚板２１は、棚板２１の一方側（後端）に位置する複数の接続バー５０により接続される。接続バー５０の上下両端はそれぞれ折り曲げ部５０１、５０２を有し、上端の折り曲げ部５０１は上方に位置する棚板２１の下溝６に挿入され、下端の折り曲げ部５０２は下方に位置する棚板２１の上溝５に挿入される。接続バーは、（棚板に挿入された際に）各棚板２１の底面同士が互いに平行となるように形成されている。上溝５と下溝６とは接続バー３０が装着される側（棚板２１の後壁）の延在方向（棚板後壁の延びる方向）に沿って並置されている。上溝５は斜め上方へ（矢印３２に示すように）延在し、下溝６は斜め下方へ（矢印３３に示すように）延在している。上溝５と下溝６の延在方向は前記接続バー３０が装着される側（棚板２１の後壁）の延在方向と直交している。つまり、矢印３２、３３はそれぞれ矢印３１方向に直交しており、３つの矢印は図面において三次元的に表わされる。各上溝５と下溝６とは一対一に対応し、対応する上溝５と下溝６の延在方向は同一垂直面上にある。（図５Ａに示すように、）複数の棚板２１のうち最下段の座式台座５１は、直線部５１１と折り曲げ部５１２とから構成される。直線部、折り曲げ部は接続されて、その間に一定の角度が形成されている。折り曲げ部５１２は複数の棚板２１のうち最下段の棚板２１の下溝６に挿入されることで、前記収納棚が載せ面に置かれた場合に、直線部５１１の自由端と、複数の棚板２１のうち最下段の棚板２１の一方側の対向側の下方の縁とが同時に前記載せ面（収納棚を設置する面）に接触する。これにより、収納棚は例えばテーブル上などの水平面に安定的に置かれることができる。
【００１６】
収納棚のこのような構造によれば、座式台座の使用により、収納棚を載せ面に置くことが可能となっている。また、本実施例において、以下に説明する接続部材４０を用いることにより、垂直に置かれた棒状体（たとえば後述する直管）に収納棚を固定することができる。この場合、座式台座は不要となる。図６Ａ〜図６Ｄは本実用新案の実施例における接続部材と棚板との接続操作の各段階の概略図であり、図６Ｅ〜図６Ｈはそれぞれ図６Ａ〜図６Ｄの部分断面図である。
【００１７】
図６Ａを見るとよくわかるように、接続部材４０は底板４１と、底板４１の同一側に位置して底板平面に直交する両アーム４２１、４２２とにより構成されている。底板４１に前記接続バー３０が装着される側の延在方向に沿って配列された２つの穴４１１が形成され、両アーム４２１、４２２の末端には上向きのフック４２１１、４２２１が形成されている。棚板２１の前記一方側の上面に、前記接続バー３０が装着される側の延在方向と直交する２つの溝４が形成され、２つの溝４の間隔は両アーム４２１、４２２の間隔と等しい。棚板２１の上面からはそれぞれ２つの溝４内へ延び、湾曲して２つのタング４３が形成されている。フック４２１１、４２２１はそれぞれ２つのタング４３の自由端４３１に引っ掛けられる。
【００１８】
（接続部材４０と棚板２１とを）組み立てるには、まず図６Ａ、図６Ｅに示すように、接続部材４０の両アームを図の矢印に示す方向に斜め下方向へ向けて溝４に挿入する。そして、図６Ｂ、図６Ｆに示すように、接続部材を回転させて図における矢印方向にフック４２１１、４２２１の一端を上方向へ持ち上げる。続いて、図６Ｃ、図６Ｇに示すように、図における矢印方向へ接続部材４０を内側へ押し込む。最後に、図６Ｄと図６Ｈに示すように、図における矢印方向に接続部材４０を外側へ引き出し、フック４２１１、４２２１を２つのタング４３の自由端４３１にそれぞれ引っ掛ける。
【００１９】
組み立てが完成してから、垂直に置かれる棒状体、例えば図６Ｉ、図６Ｊに示された直管４８に収納棚（棚板）を固定することができる。図６Ｉ、図６Ｊは本実用新案の実施例における収納棚を直管に固定する方法を表す概略図である。簡略のため、図６Ｉ、図６Ｊでは棚板２１を１つのみ表しているが、実際には複数の棚板を使用してもよい。図６Ｉに示すようにストラップ（帯状片）４９を接続部材４０の２つの穴４１１に挿通させてから図６Ｊに示すようにストラップ４９を直管４８に巻き付ける。
【００２０】
底板４１の方向（傾き方向。矢印４４で示す方向）と両アーム４２１、４２２の延在方向（矢印４５で示す方向）との間の角度は９０°未満である。必要に応じて、この角度が異なる各種の接続部材４０を選択することができ、棚板が直管に接続された後に棚板と（テーブル上などの）水平面との間に一定の角度が形成され、棚板から物品を取り出すことが容易になる。
【００２１】
本実施例における収納棚の頂部にはヘッド札を設けることが可能であり、ヘッド札はヘッド札クリップによって棚板の頂部に挟まれる。図７Ａ〜図７Ｄは、本実用新案の実施例におけるヘッド札の装着を表す概略図である。図７Ａはヘッド札クリップの側面図であり、ヘッド札クリップ７０は２つの挟持口７０１、７０２を備え、挟持口の開口は一定の角度をなすとともにその内部（開口付近）に歯７０３、７０４がそれぞれ形成されている。図７Ｂに示すように、棚板２１の一方側の上端に複数の切欠き３が形成されている。図７Ｃ、図７Ｄに示すように、第１の挟持口７０１は前記の上端の下方のに位置しかつ下へ方向に折り曲げられた縁（折り曲げ部）３０１を挟み、かつ前記挟持口の歯７０３が切欠き３内に嵌め込まれる。第２の挟持口７０２はヘッド札７１の下縁を挟み、かつ前記挟持口の歯７０４がヘッド札７１の下縁付近の穴７１１内に嵌め込まれる。
【００２２】
図８は、本実用新案の実施例における棚板内の収納空間の区切りを表す概略図である。図８に示すように、棚板２１の上面には溝４に平行な溝８０が複数形成され、溝８０内に少なくとも１つのセパレータ８１が垂直に挿入されることにより棚板２１の内部が複数の収納空間に区切られる。溝８０に垂直に挿入されるセパレータをさらに設ければ、棚板２１の内部が区切られて、様々な物品を載置する収納空間をより多く設けることができる。
【００２３】
図９は、本実用新案の実施例における棚板の組み合わせ方式を表す概略図である。図９に示すように、棚板２１は、複数の棚板ユニット２１０を、直管２２に接続される側の延在方向に沿って組み合わせてなり、各棚板ユニット２１０の左右縁は、前記一方側の延在方向に平行な接続穴１をそれぞれ有している。（棚板ユニットの）接続を強固とするために、各側の縁に２つ以上の接続穴を設けることができ、図面では各側の縁に２つの接続穴が形成されている。接続ロッド１１が左右隣接する棚板ユニット２１０の接続穴１に同時に挿入されることで、（左右）２つの棚板ユニット２１０が接続される。これにより、棚板を左右に広げて異なる空間条件に対応することができる。
【００２４】
上記具体的な実施形態は、本実用新案の保護範囲を制限するものではない。当業者に周知のとおり、設計の要求およびその他の要素に応じて、様々な修正、組合せ、サブ組合せおよび代替の発生が可能である。本実用新案の思想と原則の範囲内で行われる如何なる修正、均等物との代替および改善なども、本実用新案の保護範囲内に含まれるべきである。
【産業上の利用可能性】
【００２５】
本考案によれば、狭い空間に配置する収納棚に広範囲に応用できる。
【符号の説明】
【００２６】
１    接続穴
３    切欠き
４    溝
５    棚板の上溝
６    棚板の下溝
１１    接続ロッド
２０    収納棚
２１    棚板
３０    接続バー
４０    接続バー
４１    底板
４３    タング
５０    接続バー
５１    座式台座
７０    ヘッド札クリップ
７１    ヘッド札
８０    溝
８１    セパレータ
２１０    棚板ユニット
３０１    上端の折り曲げ部
３０２    下端の折り曲げ部
４１１    穴
４２１、４２２    両アーム
４３１    自由端
５０１    上端の折り曲げ部
５０２    下端の折り曲げ部
５１１    直線部
５１２    折り曲げ部
７０１、７０２    挟持口
７０３、７０４    歯
７１１    穴
４２１１、４２２１    フック
【図１】
0003189291.tif 000003
【図２Ａ】
0003189291.tif 000004
【図２Ｂ】
0003189291.tif 000005
【図３Ａ】
0003189291.tif 000006
【図３Ｂ】
0003189291.tif 000007
【図４Ａ】
0003189291.tif 000008
【図４Ｂ】
0003189291.tif 000009
【図５Ａ】
0003189291.tif 000010
【図５Ｂ】
0003189291.tif 000011
【図６Ａ】
0003189291.tif 000012
【図６Ｂ】
0003189291.tif 000013
【図６Ｃ】
0003189291.tif 000014
【図６Ｄ】
0003189291.tif 000015
【図６Ｅ】
0003189291.tif 000016
【図６Ｆ】
0003189291.tif 000017
【図６Ｇ】
0003189291.tif 000018
【図６Ｈ】
0003189291.tif 000019
【図６Ｉ】
0003189291.tif 000020
【図６Ｊ】
0003189291.tif 000021
【図７Ａ】
0003189291.tif 000022
【図７Ｂ】
0003189291.tif 000023
【図７Ｃ】
0003189291.tif 000024
【図７Ｄ】
0003189291.tif 000025
【図８】
0003189291.tif 000026
【図９】
0003189291.tif 000027